(57)【特許請求の範囲】
【請求項１】
以下の要件を備えたことを特徴とするルアー。
（１）釣り糸が結ばれるリングが頭部に付設されたボディと、このボディの尾部にフックハンガーを介して付設されたフックとを備え、前記フックは、前記フックハンガーを中心に前記ボディの腹側に折り込むことができるように構成され、前記ボディの腹側には、前記フックを係止・係止解除できる係止部が付設されていること。
（２）前記フックはダブルフックであり、前記フックのフック部は、そのフックを折り込んだ際に前記ボディの腹部を跨ぐような形となっており、前記ボディの前記腹部の両側には、前記フックを折り込んだ際に前記フック部の針先部を受容するポケットが付設されていること。
（３）前記フックは弾性を有する１本の線材から構成され、前記係止部の１つとして、先端部が互いに向き合いその間にスリットが形成された一対の鉤状部を有し、この鉤状部の先端部は、前記フックの折り込み途中でシャンクまたはフック部が前記スリットに入る際にそのシャンクまたはフック部を一時的に弾性変形させ、前記ダブルフックを完全に折り込んだ際には、弾性変形したシャンクまたはフック部が自身の弾性により原形に戻り、これにより前記鉤状部に係止されるように構成されていること。
【請求項２】
以下の要件を備えたことを特徴とするルアー。
（１）釣り糸が結ばれるリングが頭部に付設されたボディと、このボディの尾部にフックハンガーを介して付設されたフックとを備え、前記フックは、前記フックハンガーを中心に前記ボディの腹側に折り込むことができるように構成され、前記ボディの腹側には、前記フックを係止・係止解除できる係止部が付設されていること。
（２）前記係止部の１つとして、前記ボディの横方向に延びる軸を中心に往復回転可能な押さえ部を有すること。
（３）前記フックはダブルフックであり、前記フックのフック部は、そのフックを折り込んだ際に前記ボディの腹部を跨ぐような形となっており、前記ボディの前記腹部の両側には、前記フックを折り込んだ際に前記フック部の針先部を受容するポケットが付設されていること。
（４）前記フックは弾性を有する１本の線材から構成され、前記係止部の１つとして、先端部が互いに向き合いその間にスリットが形成された一対の鉤状部を有し、この鉤状部の先端部は、前記フックの折り込み途中でシャンクまたはフック部が前記スリットに入る際にそのシャンクまたはフック部を一時的に弾性変形させ、前記ダブルフックを完全に折り込んだ際には、弾性変形したシャンクまたはフック部が自身の弾性により原形に戻り、これにより前記鉤状部に係止されるように構成されていること。
【請求項３】
以下の要件を備えたことを特徴とするルアー。
（１）釣り糸が結ばれるリングが頭部に付設されたボディと、このボディの尾部にフックハンガーを介して付設されたフックとを備え、前記フックは、前記フックハンガーを中心に前記ボディの腹側に折り込むことができるように構成され、前記ボディの腹側には、前記フックを係止・係止解除できる係止部が付設されていること。
（２）前記係止部の１つとして、前記ボディの縦方向に延びる軸を中心に往復回転可能な押さえ部を有すること。
（３）前記フックはダブルフックであり、前記フックのフック部は、そのフックを折り込んだ際に前記ボディの腹部を跨ぐような形となっており、前記ボディの前記腹部の両側には、前記フックを折り込んだ際に前記フック部の針先部を受容するポケットが付設されていること。
（４）前記フックは弾性を有する１本の線材から構成され、前記係止部の１つとして、先端部が互いに向き合いその間にスリットが形成された一対の鉤状部を有し、この鉤状部の先端部は、前記フックの折り込み途中でシャンクまたはフック部が前記スリットに入る際にそのシャンクまたはフック部を一時的に弾性変形させ、前記ダブルフックを完全に折り込んだ際には、弾性変形したシャンクまたはフック部が自身の弾性により原形に戻り、これにより前記鉤状部に係止されるように構成されていること。
【請求項４】
前記リングにはキーチェーンが着脱可能に付設されていることを特徴とする請求項１〜３いずれか一に記載のルアー。
【発明の詳細な説明】
【０００１】
【発明の属する技術分野】
この発明は、アクセサリーとして利用できるルアーに関するものである。
【０００２】
【従来の技術】
例えばブラックバスなどのフィッシングにはルアーが用いられるのが一般的である。このルアーの種類として例えばハードルアーがある。このハードルアーは釣り糸に連結されるボディにフックを付設した構造となっている。この場合、ボディに取り付けられるフックは１つの場合もあるが、２つ以上の場合もある。
【０００３】
ところで、このルアーにあってはフックがボディに固定されていないため、このルアーを持ち運ぶにはルアーボックス内に収納して行うのが一般的であった。
【０００４】
【発明が解決しようとする課題】
しかし、例えば会社帰りなどにちょっとルアーフィッシングを行おうとするとする場合など、会社にルアーボックスを持運びしなければならず、非常に面倒であった。
【０００５】
本発明は、かかる問題点に鑑みなされたもので、持運びが便利なルアーを提供することを目的としている。
【０００６】
【課題を解決するための手段】
請求項１に記載のルアーは、以下の要件を備えたことを特徴とする。
（１）釣り糸が結ばれるリングが頭部に付設されたボディと、このボディの尾部にフックハンガーを介して付設されたフックとを備え、前記フックは、前記フックハンガーを中心に前記ボディの腹側に折り込むことができるように構成され、前記ボディの腹側には、前記フックを係止・係止解除できる係止部が付設されていること。
（２）前記フックはダブルフックであり、前記フックのフック部は、そのフックを折り込んだ際に前記ボディの腹部を跨ぐような形となっており、前記ボディの前記腹部の両側には、前記フックを折り込んだ際に前記フック部の針先部を受容するポケットが付設されていること。
（３）前記フックは弾性を有する１本の線材から構成され、前記係止部の１つとして、先端部が互いに向き合いその間にスリットが形成された一対の鉤状部を有し、この鉤状部の先端部は、前記フックの折り込み途中でシャンクまたはフック部が前記スリットに入る際にそのシャンクまたはフック部を一時的に弾性変形させ、前記ダブルフックを完全に折り込んだ際には、弾性変形したシャンクまたはフック部が自身の弾性により原形に戻り、これにより前記鉤状部に係止されるように構成されていること。
この請求項１記載のルアーによれば、フックを折り込み係止部で係止すれば、フックがボディに固定されるので、持運びが便利であり、また、例えばリングに紐を結び、その紐を介してルアーを鞄などに吊り下げることにより、アクセサリー感覚で持ち運ぶことができる。また、係止部である鉤状部は、フックの弾性を利用してフックを係止するようになっており、フックを簡単に係止・係止解除できる。
【０００７】
請求項２に記載のルアーは、以下の要件を備えたことを特徴とする。
（１）釣り糸が結ばれるリングが頭部に付設されたボディと、このボディの尾部にフックハンガーを介して付設されたフックとを備え、前記フックは、前記フックハンガーを中心に前記ボディの腹側に折り込むことができるように構成され、前記ボディの腹側には、前記フックを係止・係止解除できる係止部が付設されていること。
（２）前記係止部の１つとして、前記ボディの横方向に延びる軸を中心に往復回転可能な押さえ部を有すること。
（３）前記フックはダブルフックであり、前記フックのフック部は、そのフックを折り込んだ際に前記ボディの腹部を跨ぐような形となっており、前記ボディの前記腹部の両側には、前記フックを折り込んだ際に前記フック部の針先部を受容するポケットが付設されていること。
（４）前記フックは弾性を有する１本の線材から構成され、前記係止部の１つとして、先端部が互いに向き合いその間にスリットが形成された一対の鉤状部を有し、この鉤状部の先端部は、前記フックの折り込み途中でシャンクまたはフック部が前記スリットに入る際にそのシャンクまたはフック部を一時的に弾性変形させ、前記ダブルフックを完全に折り込んだ際には、弾性変形したシャンクまたはフック部が自身の弾性により原形に戻り、これにより前記鉤状部に係止されるように構成されていること。
この請求項２によれば、フックを折り込み係止部で係止すれば、フックがボディに固定されるので、持運びが便利であり、また、例えばリングに紐を結び、その紐を介してルアーを鞄などに吊り下げることにより、アクセサリー感覚で持ち運ぶことができる。また、係止部である押さえ部を回転させることによってフックが係止・係止解除されるので、その取扱いが容易である。
【０００８】
請求項３に記載のルアーは、以下の要件を備えたことを特徴とする。
（１）釣り糸が結ばれるリングが頭部に付設されたボディと、このボディの尾部にフックハンガーを介して付設されたフックとを備え、前記フックは、前記フックハンガーを中心に前記ボディの腹側に折り込むことができるように構成され、前記ボディの腹側には、前記フックを係止・係止解除できる係止部が付設されていること。
（２）前記係止部の１つとして、前記ボディの縦方向に延びる軸を中心に往復回転可能な押さえ部を有すること。
（３）前記フックはダブルフックであり、前記フックのフック部は、そのフックを折り込んだ際に前記ボディの腹部を跨ぐような形となっており、前記ボディの前記腹部の両側には、前記フックを折り込んだ際に前記フック部の針先部を受容するポケットが付設されていること。
（４）前記フックは弾性を有する１本の線材から構成され、前記係止部の１つとして、先端部が互いに向き合いその間にスリットが形成された一対の鉤状部を有し、この鉤状部の先端部は、前記フックの折り込み途中でシャンクまたはフック部が前記スリットに入る際にそのシャンクまたはフック部を一時的に弾性変形させ、前記ダブルフックを完全に折り込んだ際には、弾性変形したシャンクまたはフック部が自身の弾性により原形に戻り、これにより前記鉤状部に係止されるように構成されていること。
この請求項３によれば、フックを折り込み係止部で係止すれば、フックがボディに固定されるので、持運びが便利であり、また、例えばリングに紐を結び、その紐を介してルアーを鞄などに吊り下げることにより、アクセサリー感覚で持ち運ぶことができる。また、係止部である押さえ部を回転させることによってフックが係止・係止解除されるので、その取扱いが容易である。
【０００９】
請求項４に記載のルアーは、請求項１〜３いずれか一に記載のルアーにおいて、前記リングにはキーチェーンが着脱可能に付設されていることを特徴とする。
このルアーによれば、そのキーチェーンを利用して、持運びの際にルアーを鞄などに容易に吊り下げることができる。
【００１１】
【発明の実施の形態】
図１には本願発明の第１実施形態のルアーの側面図が示されている。このルアー１は例えばプラスチック製または木製で流線形のボディ２を有している。このボディ２は腹側がほぼ平らに構成されている。このボディ２の頭部にはラインアイ３を介してスプリットリング４が取り付けられている。そして、スプリットリング４には釣り糸が結ばれるようになっている。一方、ボディ２の腹側の尾部にはフックハンガー５を介してフック６が取り付けられている。ここでのフック６はダブルフックとなっている。このフック６は一本の線材を折曲した形となっており、図２に示すように、シャンク６ａ，６ａ同士が隙間を有するように構成されると共に、フック部６ｂ，６ｂが互いに１１０度〜１５０度程度の角度を持っている。
【００１２】
ボディ２には腹側に、先端部が互いに向き合いその間にスリット７が形成された一対の鉤状部（係止部）８，８を有している。この鉤状部８，８の先端部は、フック６の折り込み途中でシャンク６ａまたはフック部６ｂ，６ｂがスリット７に入る際にそのシャンク６ａまたはフック部６ｂ，６ｂを一時的に弾性変形させ、フック６を完全に折り込んだ際には、弾性変形したシャンク６ａまたはフック部６ｂ，６ｂが自身の弾性により原形に戻り、これにより鉤状部８，８に係止されるように構成されている。また、ボディ２の腹部の両側には、フック７を折り込んだ際にフック部６ｂ，６ｂの針先部を受容するポケット１０，１０が付設されている。
【００１３】
また、ボディ２の腹側の頭部には、縦軸１１ｂを中心に往復回転可能な押さえ部（係止部）１１が付設されている。この押さえ部１１には操作部１１ａが付設され、この操作部１１ａには溝が設けられ、この溝にコインの先を入れて回転させることによって押さえ部１１は縦軸１１ｂを中心に回転する。
さらに、ボディ２の頭部にはリップ１２が付設されている。
【００１４】
このように構成されたルアー１によれば、図３に示すように、フック６をボディ２から取り出すことによって本来のルアー１として使用することができる一方で、フックハンガー５を中心にボディ２の腹側にフック６を折り込み鉤状部８，８および押さえ部１１で係止すれば、フック６が固定されるので持運びが簡単に行えると共に、例えばスプリットリング４に紐を結び、その紐を介してルアー１を鞄などに吊り下げることにより、アクセサリー感覚で持運びができることになる。
また、鉤状部８，８および押さえ部１１によってフック６が簡単に係止・係止解除できることになる。
さらに、フック６のフック部６ａ，６ａは、そのフック６をボディ２の腹側に折り込んだ際にボディ２の腹部を跨ぐような形となっており、一方、ボディ２の腹部の両側には、フック６を折り込んだ際にフック部６ａ，６ａの針先部を受容するポケット１０，１０が付設されているので、フック部６ａ，６ａをボディ２外に露出させることなく、かつ、ダブルフックを簡単に係止できることになる。
【００１５】
図４〜図６には本願発明の第２実施形態のルアーが示されている。このルアー２０が第１実施形態のルアーと異なる点は、第１に、ボディ２の腹部にシャンク６ｂ，６ｂを受けるための溝２１が設けらている点、第２に、第１実施形態のルアー１における鉤状部８，８が設けられていない点、第３に、第１実施形態のルアー１における押さえ部１１の代わりに横軸２２ｂを中心に往復回転する押さえ部２２が設けられている点である。そして、この押さえ部２２には操作部２２ａが付設され、この操作部２２ａには溝が設けられ、この溝にコインの先を入れて回転させることによって押さえ部２２は縦軸２２ｂを中心に回転する。なお、この実施形態によれば、押さえ部２２は開いた状態（図６参照）ではリップとして機能することになる。その他の点は、第１実施形態のルアー１とほぼ同じ構造となっている。したがって、図４〜図６で図１〜図３の構成要素に対応する部分には同一符号が付してあり、その説明は省略する。
【００１６】
以上、本発明の実施形態について説明したが、本発明は、かかる実施形態に限定されるものではなく、その要旨を変更しない範囲で種々変形可能であることはいうまでもない。
【００１７】
例えば、前記実施形態によれば、ルアーをアクセサリーとして吊り下げるのに汎用の紐などを用いるようにしたが、専用のキーチェーンなどを着脱可能にリングに取り付けておいてもよい。
【００１８】
【発明の効果】
本発明の代表的なものの効果について説明すれば、フックを折り込み係止部で係止すれば、フックがボディに固定されるので、持運びが便利であり、また、例えばリングに紐を結び、その紐を介してルアーを鞄などに吊り下げることにより、アクセサリー感覚で持ち運ぶことができる。また、係止部である鉤状部は、フックの弾性を利用してフックを係止するようになっており、フックを簡単に係止・係止解除できる。
【図面の簡単な説明】
【図１】第１実施形態に係るルアーのフックの収納状態を示す側面図である。
【図２】第１実施形態に係るルアーのフックの収納状態を示す下面図である。
【図３】第１実施形態に係るルアーのフックの露出状態を示す側面図である。
【図４】第２実施形態に係るルアーのフックの収納状態を示す側面図である。
【図５】第２実施形態に係るルアーのフックの収納状態を示す下面図である。
【図６】第２実施形態に係るルアーのフックの露出状態を示す側面図である。
【符号の説明】
１，２０        ルアー
２              ボディ
４              スプリットリング
５              フックハンガー
６ａ            シャンク
６ｂ            フック部
７              スリット
８              鉤状部（係止部）
１０            ポケット
１１，２２      押さえ部
【図１】
0003561648.tif 000002
【図２】
0003561648.tif 000003
【図３】
0003561648.tif 000004
【図４】
0003561648.tif 000005
【図５】
0003561648.tif 000006
【図６】
0003561648.tif 000007